(57)【要約】【課題】遊技機において、満タン検出スイッチの接点寿命を延ばすことを可能にする。【解決手段】球通路１５３は、幅が少なくとも遊技球２個分以上の幅であって、遊技球が受け皿１３へ向けて流下する長手方向へ第１の傾斜角度で下り傾斜すると共に、少なくとも上流側が長手方向に直交する幅方向へ第２の傾斜角度で下り傾斜する。払出装置２０から払い出された遊技球は、球通路１５３へ流下する際、上流側における幅方向の高位置側へ流下する。満タン検出スイッチ１７を、球通路１５３の上流側にあって、かつ幅方向の低位置側に配置する。【選択図】  図５
2013198614.tif 000002
【特許請求の範囲】
【請求項１】
払出装置から払い出される遊技球を受け皿に誘導可能な球通路に、前記受け皿内に遊技球が満タンになったことを検出可能な満タン検出スイッチを設けた弾球遊技機において、
前記球通路は、幅が少なくとも遊技球２個分以上の幅であって、遊技球が前記受け皿へ向けて流下する長手方向へ第１の傾斜角度で下り傾斜すると共に、少なくとも上流側が前記長手方向に直交する幅方向へ第２の傾斜角度で下り傾斜し、
前記払出装置から払い出された遊技球は、前記球通路へ流下する際、上流側における前記幅方向の高位置側へ流下し、
前記満タン検出スイッチを、前記球通路の上流側にあって、かつ前記幅方向の低位置側に配置したことを特徴とする弾球遊技機。
【請求項２】
前記球通路における前記第２の傾斜角度を、前記第１の傾斜角度よりも小としたことを特徴とする請求項１記載の弾球遊技機。
【請求項３】
前記球通路は、前記払出装置から払い出された遊技球が前記長手方向へ前記第１の傾斜角度で下り傾斜すると共に、少なくとも上流側が前記幅方向へ前記第２の傾斜角度で下り傾斜する第１通路と、前記第１通路における前記幅方向の低位置側にあって、前記第１通路の長手方向へ平行な第２通路とを含み、
前記第１通路と前記第２通路との間に、前記第２通路を前記第１通路よりも低位置とする段差部を設け、
前記満タン検出スイッチを、前記第２通路の上流側に配置したことを特徴とする請求項１又は２記載の弾球遊技機。
【請求項４】
前記球通路の上流側に、前記払出装置から払い出された遊技球を前記第１通路へ誘導可能な案内部を設けたことを特徴とする請求項３記載の弾球遊技機。
【発明の詳細な説明】
【技術分野】
【０００１】
本発明は、受け皿に貯留される遊技球が満タンか否かを検出するための満タン検出スイッチを備えた弾球遊技機に関する。
【背景技術】
【０００２】
特にパチンコ機等の弾球遊技機においては、球払出装置から払い出される貸球や賞球等の遊技球を貯留し、当該貯留している遊技球を遊技盤の遊技領域へ発射するための発射装置へ供給可能な上側の受け皿と、上側の受け皿で貯留しれきれなくなった遊技球を貯留する下側の受け皿と、上側の受け皿で貯留しきれなくなった遊技球を下側の受け皿へ流下させる球通路と、当該球通路に設けられ下側の受け皿に貯留された遊技球が満タンか否かを検出する満タン検出スイッチとを備え、下側の受け皿が満タン状態となって球通路に滞留した遊技球が満タン検出スイッチの可動片に当接することによって下側の受け皿が遊技球で満タンであることを検出するようになっている（例えば、特許文献１、２参照）。
【先行技術文献】
【特許文献】
【０００３】
【特許文献１】特開２００４−１６６７５５号公報
【特許文献２】特開２００８−２４６１２４号公報
【発明の概要】
【発明が解決しようとする課題】
【０００４】
上記特許文献１、２に記載の弾球遊技機においては、上側の受け皿で貯留しきれなくなった遊技球が球通路を下側の受け皿へ向けて流下する際、遊技球が設定通りの経路を辿って流下する場合には、通常、満タン検出スイッチの可動片に当接することはないが、球通路を流下する多数の遊技球の一部には、遊技球同士の衝突等によって流下方向、流下速度等が変化し、下側の受け皿が満タンになっていないにも係わらず満タン検出スイッチの可動片に当接するものもある。このように、下側の受け皿が満タン状態になっていないにも係わらず遊技球が満タン検出スイッチの可動片に当接した場合には、下側の受け皿に遊技球が満タンであると誤検出しないように、通常、満タン検出スイッチが遊技球を検出した時間を計測し、計測時間が所定時間を超えた場合のみ下側の受け皿が満タンであると判断して、下側の受け皿が満タンである旨をスピーカ等を利用して遊技者に報知するようにしている。
【０００５】
しかし、下側の受け皿が満タンになっていない状態において、球通路内で遊技球の流下方向が変化したり、遊技球が既に球通路内に滞留している遊技球に衝突して跳ね上がったりする等して、遊技球が満タン検出スイッチの可動片に当接する頻度が多いと、満タン検出スイッチを有接点式のものを採用している場合には、満タン検出スイッチの接点寿命を縮めることとなる。
【０００６】
本発明は、かかる課題に鑑みなされたものであって、満タン検出スイッチの接点寿命を延ばすことを可能にすると共に、受け皿が遊技球で満タンになったことを確実に検出可能とした弾球遊技機を提供することを目的とする。
【課題を解決するための手段】
【０００７】
本発明によると、上記課題は、次のようにして解決される。
（１）払出装置から払い出される遊技球を受け皿に誘導可能な球通路に、前記受け皿内に遊技球が満タンになったことを検出可能な満タン検出スイッチを設けた弾球遊技機において、前記球通路は、幅が少なくとも遊技球２個分以上の幅であって、遊技球が前記受け皿へ向けて流下する長手方向へ第１の傾斜角度で下り傾斜すると共に、少なくとも上流側が前記長手方向に直交する幅方向へ第２の傾斜角度で下り傾斜し、前記払出装置から払い出された遊技球は、前記球通路へ流下する際、上流側における前記幅方向の高位置側へ流下し、前記満タン検出スイッチを、前記球通路の上流側にあって、かつ前記幅方向の低位置側に配置する。
【０００８】
（２）前記（１）項において、前記球通路における前記第２の傾斜角度を、前記第１の傾斜角度よりも小とする。
【０００９】
（３）前記（１）または（２）項において、前記球通路は、前記払出装置から払い出された遊技球が前記長手方向へ前記第１の傾斜角度で下り傾斜すると共に、少なくとも上流側が前記幅方向へ前記第２の傾斜角度で下り傾斜する第１通路と、前記第１通路における前記幅方向の低位置側にあって、前記第１通路の長手方向へ平行な第２通路とを含み、前記第１通路と前記第２通路との間に、前記第２通路を前記第１通路よりも低位置とする段差部を設け、前記満タン検出スイッチを、前記第２通路の上流側に配置する。
【００１０】
（４）前記（３）項において、前記球通路の上流側に、前記払出装置から払い出された遊技球を前記第１通路へ誘導可能な案内部を設ける。
【発明の効果】
【００１１】
本発明によると、遊技球が球通路を流下する際、遊技球が満タン検出スイッチの可動片に当接する頻度を減少させることができるため、満タン検出スイッチの接点寿命を延ばすことが可能となると共に、誤検出を防止して、受け皿が遊技球で満タンになったことを確実に検出することが可能となる。
【図面の簡単な説明】
【００１２】
【図１】本発明における実施形態を適用したパチンコ機を斜め前方から見た斜視図である。
【図２】同じく、ガラス枠を開けた状態のパチンコ機を斜め前方から見た斜視図である。
【図３】同じく、パチンコ機を斜め後方から見た斜視図である。
【図４】球誘導ユニットを斜め前方から見た斜視図である。
【図５】球誘導ユニットにおける後側の第２ケースを斜め前方から見た斜視図である。
【図６】同じく、第２ケースの正面図である。
【図７】球通路の要部の拡大縦断面図である。
【図８】図３におけるＡ部の拡大図である。
【図９】球通路内に遊技球が滞留し始めた初期状態を示す図８と同様な部分な拡大図である。
【図１０】球通路内に遊技球が満タンになった状態を示す図８と同様な部分な拡大図である。
【図１１】球通路内に遊技球が滞留していない状態を示す球通路の概略横断面図である。
【図１２】球通路内に遊技球が満タンになった状態を示す球通路の概略横断面図である。
【発明を実施するための形態】
【００１３】
以下、本発明の一実施形態を、図面に基づいて説明する。なお、以下に説明する本実施形態は例示であって、特許請求の範囲に記載された本発明の範囲を不当に制限するものではない。
また、以下の説明においては、パチンコ機（弾球遊技機）１を説明するための「方向」を遊技者が相対する側である正面側を基準として定義する。即ち、遊技者が相対する側を「正面（前面）」とし、正面とは反対側の面を「裏面」とし、正面から望んで右側を「右」とし、同じく左側を「左」とする。また、パチンコ機の正面側に取り付けられる各構成部材の説明においても、同様の方向の定義を採用する。
【００１４】
図１〜３に示すように、パチンコ機１は、外郭を形成してパチンコホールの島設備に設置される矩形枠状の外枠２を備える。外枠２の前面には、合成樹脂または金属等で形成された内枠３が嵌め込まれており、内枠３の前面下側には、合成樹脂製の下飾り板４が設けられる。なお、図３に示すパチンコ機１を斜め後方から見た斜視図は、本発明の特徴部分を明示するため、球誘導ユニット１５の裏面側の一部を省略して示している。
【００１５】
内枠３は、左上下部が外枠２の左上下部に設けられた一対のヒンジ部１８、１９により鉛直軸回りに前後方向へ開閉可能に枢支される。
【００１６】
内枠３の前面には、パチンコ機１の前面を形成する枠状の前扉５が上下一対のヒンジ部１８、１９により鉛直軸回りに前後方向へ開閉可能に枢支されている。前扉５には、ガラス板６が嵌め込まれている。
【００１７】
さらに、内枠３には、盤面に円形の遊技領域７１を形成した遊技盤７が着脱可能にセットされている。遊技盤７の盤面はガラス板６により覆われ、遊技領域７１は、ガラス板６を透して前方から視認可能となっている。外枠２の前面左下部には、遊技の状況に応じた効果音を出力する低音用のスピーカ８が設けられる。また、遊技盤７の裏側には、遊技を電気的に制御するための制御部（図示略）が配置される。
【００１８】
図２に示すように、遊技領域７１には、遊技盤７の下側に設けられる発射装置１１により遊技領域７１に打ち込まれた遊技球の流下方向を変化させる多数の遊技釘（図示略）、遊技領域７１に打ち込まれた遊技球が入賞可能な始動口７２、複数列の図柄を変動表示可能な例えば液晶ディスプレイからなる表示部７３、遊技者にとって不利な第１状態（遊技球が入賞不能な閉鎖状態）と遊技者にとって有利な第２状態（遊技球が入賞可能な開放状態）とに変化可能な大入賞口７４、遊技領域７１に打ち込まれた遊技球のうち始動口７２、大入賞口７４等に入賞しなかったアウト球を遊技盤７の裏面側に送り出すアウト口７５等が設けられる。
【００１９】
遊技領域７１に打ち込まれた遊技球が始動口７２に入賞すると、これを契機に制御部によって所定の確率に基づいて実行される抽選の結果、大当りとなって表示部７３に変動表示されていた演出図柄が所定の組合せで停止して大当り（大役）に確定表示された場合（例えば、複数列に同一の演出図柄が揃った場合）には、大当り状態を生起させて、大入賞口７４を第１状態から第２状態に変化させる。大当り状態のときには、第２状態にある大入賞口７４に多数の遊技球が入賞可能となり、遊技盤７の裏側に設けられる球払出装置２０から賞球として大量の遊技球が払い出される。
【００２０】
前扉５の左右両側には、遊技の状況に応じて点灯、消灯及び点滅して照明による演出を行う複数の光源を内蔵した照明部９Ｌ、９Ｒが設けられ、また、同じく左右上部には、遊技の状況に応じた効果音を出力する中高音用のスピーカ１０Ｌ、１０Ｒが設けられる。さらに、前扉５の前面下部には、払出装置２０から払い出される遊技球を貯留して発射装置１１へ供給可能な上側の受け皿１２と、上側の受け皿１２の下方にあって、上側の受け皿１２で貯留しきれなくなった遊技球を貯留するための下側の受け皿１３が設けられる。
【００２１】
上側の受け皿１２は、貯留される遊技球が正面視で右方向へ転動するように、底面が正面視で左側から右側へ向けて下り傾斜している。さらに、上側の受け皿１２の底面の傾斜方向下流側には、上側の受け皿１２に貯留される遊技球を１列に整列して発射装置１１へ誘導する整列通路１２１が設けられる。
【００２２】
上側の受け皿１２の左奥面には、球払出装置２０から払い出される貸し球や賞球等の遊技球が排出される球払出口１２２が設けられる。
【００２３】
下側の受け皿１３の奥面には、上側の受け皿１２で貯留しきれなくなって後述の球通路１５３により誘導されてくる遊技球を下側の受け皿１３に排出するための球払出口１３１が設けられる。さらに、下側の受け皿１３の底面には、下側の受け皿１３の前面に左右方向へスライド可能に設けられた下皿用球抜きレバー１３２を操作することにより開放して下側の受け皿１３に貯留されている遊技球を下側の受け皿１３の下方に配置される球箱（図示略）へ排出するための球抜き孔１３３が設けられる。
【００２４】
前扉５の前面右下部には、発射装置１１と電気的に接続されて打球の発射力を調整するための発射ハンドル１４の握り部位に設けられたハンドルリング１４ａが水平軸回りに回転可能に設けられる。
【００２５】
パチンコ機１内の内枠３における遊技盤７の下側には、球誘導ユニット１５が設けられる。図４に示すように、球誘導ユニット１５は、合成樹脂製の前側の第１ケース１５Ａと、第１ケース１５Ａの後側に組み付けられる第２ケース１５Ｂとから構成される。なお、第１ケース１５Ａの前面には、図２に示すように、第１ケース１５Ａの前面を閉塞するカバー１５Ｃ及び発射装置１１等が組み付けられるが、図４においては、球誘導ユニット１５の内部構造を明示するため、カバー１５Ｃ及び発射装置１１等を省略して示している。
【００２６】
なお、本実施形態においては、球誘導ユニット１５は、内枠３の下側に配置されて、球誘導ユニット１５と内枠３とを別体に設けている例を説明するが、これに限定されるものではなく、球誘導ユニット１５と内枠３とを一体に設けた構成としても良い。また、第１ケース１５Ａと第２ケース１５Ｂとを一体構造としても良い。
【００２７】
図４に示すように、球誘導ユニット１５には、第２ケース１５Ｂの左奥上部にあって、球払出装置２０から払い出される貸し球や賞球（以下、「遊技球Ｂ」と記す）を受け入れる球受入口１５１と、第１ケース１５Ａの左上面にあって、前扉５を閉じた状態で、球受入口１５１から受け入れた遊技球Ｂを上側の受け皿１２へ誘導するように上側の受け皿１２の球払出口１２２に連通する上皿球通路１５２と、第２ケース１５Ｂの前面にあって、上側の受け皿１２に貯留しきれなくなって上皿球通路１５２に溢れた遊技球Ｂを下側の受け皿１２へ向けて流下させるための球通路１５３と、第１ケース１５Ａの前面下部にあって、前扉５を閉じた状態で、球通路１５３を流下した遊技球Ｂが下側の受け皿１３に流れ込むように、下側の受け皿１３の球払出口１３１に連通する下皿連通口１５４が設けられる。
【００２８】
主に図５、６に示すように、球誘導ユニット１５の第２ケース１５Ｂに設けられる球通路１５３は、前後方向の幅が遊技球Ｂ２個分に相当する幅よりも若干拡幅の幅を有して、上皿球通路１５２上に溢れて球通路１５３に落下した遊技球Ｂが右方向（下流方向または長手方向）、すなわち下側の受け皿１３へ向けて転動するように表面が右方に向けて下り傾斜している。
【００２９】
球通路１５３の上流側には、上皿球通路１５２から球通路１５３に落下した遊技球Ｂを球通路１５３の幅方向（前後方向）の奥側、すなわち後述の第１通路１５３１側へ向けて誘導し、下流方向へ一列に並んで流下するように整列させるガイド部１６が設けられる。なお、球通路１５３の側面とガイド部１６間の隙間Ｄは、図１１、１２に示すように、遊技球Ｂが一列で流下し得る程度に設定される。しかし、本発明は、これに限定されるものでなく、球通路１５３の側面とガイド部１６間の隙間Ｄを、遊技球Ｂが２列で流下しうるような隙間としても良い。この場合は、球通路１５３の幅は、遊技球３個分に相当する幅よりも若干拡幅の幅となる。
【００３０】
球通路１５３には、ガイド部材１６よりも下流側にあって、表面が長手方向に向けて傾斜角度θ１（図６参照）で下り傾斜し、かつ長手方向に直交する幅方向の前方へ向けて傾斜角度θ１よりも小の傾斜角度θ２（図７参照）で下り傾斜する第１通路１５３１と、第１通路１５３１の前側にあって、第１通路１５３１と平行に長手方向へ延出する第２通路１５３２が形成される。なお、第１、２通路１５３１、１５３２における幅方向の寸法は、遊技球１個分よりも若干拡幅に設定される。また、傾斜角度θ２は、遊技球Ｂが第１通路１５３１上に停止した際に、前方、すなわち第２通路１５３２に向けて転動する程度の角度に設定される。
【００３１】
第２通路１５３２における上流側、すなわちガイド部１６の真右の表面には、第２通路１５３２の下方に配置される満タン検出スイッチ１７の可動片１７１が上下方向へ出没可能に配置される。
【００３２】
また、第１通路１５３１と第２通路１５３２と境目には、第２通路１５３２の表面が第１通路１５３１の表面よりも低位置となるように段差部１５３３が設けられる。この段差部１５３３の高さは、主に図７に示すように、第１通路１５３１の最低位置の表面と、第２通路１５３２の表面から突出する満タン検出スイッチ１７の可動片１７１の表面とがほぼ平坦になるように設定される。
【００３３】
上述により、上皿球通路１５２上に溢れて球通路１５３に落下した遊技球Ｂは、図１１に示すように、先ず、ガイド部１６により球通路１５３の奥側、すなわち第１通路１５３１側へ誘導される。そして、遊技球Ｂは、第１通路１５３１の表面上を下流側へ向けて流下する。したがって、通常の状態（下側の受け皿１３に遊技球Ｂが満タンになっていない状態）において、遊技球Ｂが球通路１５３を下流方向へ流下する際、遊技球Ｂは、満タン検出スイッチ１７の可動片１７１の後方を通過し、可動片１７１に乗り上げることはない。仮に、遊技球Ｂの流下方向が変化して、遊技球Ｂが可動片１７１に乗り上げても、乗り上げた遊技球Ｂは、即座に下流方向へ流下するため、満タン検出スイッチ１７のＯＮ時間が極めて短時間であることから、遊技球Ｂが下側の受け皿１３に満タンであるとは判断されない。
【００３４】
満タン検出スイッチ１７の可動片１７１は、前後方向の軸回りに上下方向へ揺動可能であって、通常は、表面が第２通路１５３２の表面に突出した非検出位置に保持され、遊技球Ｂが下側の受け皿１３に満タンになって、球通路１５３に滞留している遊技球Ｂが可動片１７１に乗り上げることで、可動片１７１は、遊技球Ｂの重みにより第２通路１５３２の表面とほぼ平坦になる検出位置に没入する。
【００３５】
満タン検出スイッチ１７は、可動片１７１が非検出位置から検出位置へ移動することによってＯＦＦ状態からＯＮ状態に切り替わる。満タン検出スイッチ１７のＯＮ信号（下側の受け皿１３に遊技球Ｂが満タンになったことの検出信号）は、制御部に送信される。制御部は、満タン検出スイッチ１７からのＯＮ信号を所定時間継続して受信した場合に限って遊技球Ｂが下側の受け皿１３に満タン状態であると判断し、照明部９Ｌ、９Ｒ、１０Ｌ、１０Ｒまたは表示部７３を駆動制御して、下側の受け皿１３が満タンである旨を遊技者に対して報知する。
【００３６】
次に、本実施形態の作用について説明する。
遊技領域７１に打ち込まれた遊技球Ｂが始動口７２に入賞し、これを契機に基づいて実行される制御部の抽選の結果、大当りが生起されると、前述のように球払出装置２０から大量の遊技球Ｂが払い出される。
【００３７】
球払出装置２０から払い出された遊技球Ｂは、球誘導ユニット１５の球受入口１５１から受け入れられて上皿球通路１５２、球払出口１２２を通って上側の受け皿１２に流れ込んで貯留される。
【００３８】
上側の受け皿１２が遊技球Ｂで満タンになって上皿球通路１５２に遊技球Ｂが溢れると、図５、６、８及び図１１に示すように、上皿球通路１５２に溢れた遊技球Ｂは、球通路１５３に落下した後、ガイド部１６により第１通路１５３１側に誘導されて満タン検出スイッチ１７の可動片１７１の後方を通過し、第１通路１５３１の流下方向への下り傾斜角度θ１により下流方向へ流下して下皿連通口１５４から下側の受け皿１３へ随時流れ込む。
【００３９】
これにより、第１通路１５３１を流下する遊技球Ｂは、満タン検出スイッチ１７の可動片１７１に接触したり乗り上げたりすることはない。よって、満タン検出スイッチ１６の不要な作動を防止して、満タン検出スイッチ１６の接点寿命を延ばすことが可能となり、かつ誤検出も確実に防止することが可能となる。
【００４０】
さらに、球払出装置２０からの遊技球Ｂの払い出しが継続されて下側の受け皿１３に遊技球Ｂが満タンになると、図９に示すように、遊技球Ｂは、球通路１５３の下流側から滞留し始める。なお、このときは、遊技球Ｂが満タン検出スイッチ１７の可動片１７１に乗り上げていないので、球抜きの報知は実行されない。
【００４１】
遊技球Ｂが球払出装置２０からさらに払い出されて、図１０、１２に示すように、下側の受け皿１３から溢れた遊技球Ｂが、球通路１５３の第１、２通路１５３１、１５３２上に滞留して回動片１７１に乗り上げることによって、可動片１７１は、遊技球Ｂの重みによって、被検出位置から検出位置に没入する。このとき、球払出装置２０から払い出されてガイド部１６により第１通路１５３１に誘導された遊技球Ｂが、第１通路１５３１上に既に滞留している遊技球Ｂに当接して下流方向への流下が停止しても、第１通路１５３１が可動片１７１へ向けて傾斜角度θ２で下り傾斜していること、及び段差部１５３３により第１通路１５３１の表面と可動片１７１の表面とがほぼ平坦であるため、第１通路１５３１上で停止した遊技球Ｂは、第２通路１５３２へ向けて転動し、満タン検出スイッチ１７の可動片１７１に確実に乗り上げる。
【００４２】
満タン検出スイッチ１７のＯＮ状態が所定時間継続すると、制御部は、満タン検出スイッチ１７のＯＮ信号が所定時間継続したことに基づいて、下側の受け皿１３に遊技球Ｂが満タンになったものと判断して、照明部９Ｌ、９Ｒ、スピーカ１０Ｌ、１０Ｒまたは表示部７３を駆動して、遊技者に対して下側の受け皿１３の球抜きの報知を実行すると共に、払出装置２０からの遊技球Ｂの払出制御を中断する。
【００４３】
球抜きの報知に基づいて、遊技者が下皿用球抜きレバー１３２をスライド操作して、球抜き孔１３３を開放すると、下側の受け皿１３に貯留されていた遊技球Ｂは、球抜き孔１３３から球箱へ排出される。
【００４４】
下側の受け皿１３内の遊技球Ｂが球箱へ排出されると、これに伴って、球通路１５３に滞留している遊技球Ｂは、下皿連通孔１５４、球払出口１３１を通って下側の受け皿１３に流れ込む。これにより、可動片１７１に乗り上げていた遊技球Ｂが無くなることから、可動片１７１は、被検出位置に移動し、満タン検出スイッチ１７は、ＯＮ状態からＯＦＦ状態に切り替わり、制御部は、これを契機に球抜き報知の制御を停止する。
【００４５】
以上、本発明の実施形態について説明したが、本発明の要旨を逸脱しない範囲内で、上記実施形態に対して、次のような変形や変更を施すことが可能である。
（ａ）下側の受け皿１３を省略し、満タン検出スイッチ１７を、球払出装置２０から払い出された遊技球Ｂを上側の受け皿１２に誘導する経路の途中に配置する。この場合は、満タン検出スイッチ１７は、上側の受け皿１２に貯留される遊技球Ｂが満タンか否かを検出する。
（ｂ）満タン検出スイッチ１７を有接点式のスイッチに代えて、無接点式のスイッチとする。
（ｃ）満タン検出スイッチ１７の可動片１７１を第２通路１５３２の側面に出没自在に設ける。
（ｄ）第１通路１５３１の第２の傾斜角度θ２を、可動片１７１の側方のみ、すなわち第１通路１５３１の上流側のみに設定する。
（ｅ）第２通路１５３２を、第１通路１５３１の後側に形成する。この場合は、第１通路１５３１の第２の傾斜角度θ２は、後方への下り傾斜となる。
【符号の説明】
【００４６】
１  パチンコ機（弾球遊技機）
２  外枠
３  内枠
４  下飾り板
５  前扉
６  ガラス板
７  遊技盤
８  スピーカ
９Ｌ、９Ｒ  照明部
１０Ｌ、１０Ｒ  スピーカ
１１  発射装置
１２  上側の受け皿
１３  下側の受け皿
１４  発射ハンドル
１４ａ  ハンドルリング
１５  球誘導ユニット
１５Ａ  第１ケース
１５Ｂ  第２ケース
１５Ｃ  カバー
１６  ガイド部
１７  満タン検出スイッチ
１７１  可動片
１８、１９  ヒンジ部
２０  球払出装置
７１  遊技領域
７２  始動口
７３  表示部
７４  大入賞口
７５  アウト口
１２１  整列通路
１２２  球払出口
１３１  球払出口
１３２  下皿用球抜きレバー
１３３  球抜き孔
１５１  球受入口
１５２  上皿球通路
１５３  球通路
１５３１  第１通路
１５３２  第２通路
１５３３  段差部
１５４  下皿連通口
Ｂ  遊技球
Ｄ  隙間
【図１】
2013198614.tif 000003
【図２】
2013198614.tif 000004
【図３】
2013198614.tif 000005
【図４】
2013198614.tif 000006
【図５】
2013198614.tif 000007
【図６】
2013198614.tif 000008
【図７】
2013198614.tif 000009
【図８】
2013198614.tif 000010
【図９】
2013198614.tif 000011
【図１０】
2013198614.tif 000012
【図１１】
2013198614.tif 000013
【図１２】
2013198614.tif 000014